(57)【特許請求の範囲】
【請求項１】
室外側から施錠部材としてのラッチ片に仮施錠姿勢をとらせる仮施錠操作及び仮解錠姿勢をとらせる仮解錠操作を行うための室外側操作部と、
前記仮解錠操作に伴って前記ラッチ片がとった仮解錠姿勢を維持し、前記仮施錠操作に伴って前記ラッチ片が仮施錠姿勢をとるようにするための規制機構と、
室内側から前記仮解錠操作を行うための室内側操作部とを具備し、
該室内側操作部による前記仮施錠操作は行えないようにしてある錠であって、
前記室外側操作部による仮施錠操作及び仮解錠操作に伴って該室外操作部に連結されたラッチ操作用軸が回動し、このラッチ操作用軸の回動はラッチ軸の回動に変換され、該ラッチ軸の先端に形成されている前記ラッチ片の姿勢が仮施錠姿勢と仮解錠姿勢に変わるように構成され、
前記規制機構は、前記ラッチ操作用軸を、前記仮施錠姿勢に対応する位置と前記仮解錠姿勢に対応する位置とに保持可能に構成され、
前記室内側操作部による仮解錠操作に伴って該室内操作部に連結された室内側主軸が回動し、この室内側主軸の回動は室内側従軸を介して前記ラッチ軸の回動に変換され、前記ラッチ軸の先端に形成されている前記ラッチ片の姿勢が仮施錠姿勢から仮解錠姿勢に変わると共に前記室内側従軸は前記ラッチ軸に係合するように構成され、
前記室内側従軸が前記ラッチ軸に係合する状態において前記室内側操作部を操作して前記室内側主軸を回動させても、前記室内側従軸を動かすことができないように構成されていることを特徴とする錠。
【請求項２】
前記室外側操作部は、戸の開閉操作に用いられる把手を兼用し、戸の開方向に加わる力によって仮解錠操作され、戸の閉方向に加わる力によって仮施錠操作される請求項１に記載の錠。
【請求項３】
前記室内側操作部は、戸の開閉操作に用いられる把手を兼用し、戸の開方向に加わる力によって仮解錠操作される請求項１または２に記載の錠。
【請求項４】
前記施錠部材として、前記ラッチ片に加えて鎌片が設けられ、
前記室外側操作部として、前記ラッチ片を操作するためのラッチ片操作部と、前記鎌片を操作するための鎌片操作部とが設けられ、
前記室内側操作部は、前記ラッチ片及び前記鎌片の両方についての前記仮解錠操作が可能に構成されている請求項１〜３の何れか一項に記載の錠。
【請求項５】
前記鎌片操作部を覆って該鎌片操作部の操作を不可能な状態とするための着脱自在なカバーと、
前記ラッチ片操作部の操作力を前記ラッチ片に伝達するための伝達機構の作動を停止させる停止位置への移動と、この停止位置からの退避とが可能に構成されたラッチ止め具とを具備する請求項４に記載の錠。
【請求項６】
室外側に設けられた受光部と、該受光部において受光した光を室内に導入する光導入部とを有する錠カバーを具備し、前記光導入部を、前記室内側操作部自体または室内に導入した光が該室内側操作部に届く範囲に設け、かつ、前記光導入部の少なくとも一部を蓄光材によって構成してある請求項１〜５の何れか一項に記載の錠。
【発明の詳細な説明】
【技術分野】
【０００１】
この発明は、例えば、人の出入りが可能な内部空間を有する物置等の戸に設けられる錠に関する。
【背景技術】
【０００２】
従来、物置等の引戸に可動ラッチを設け、戸を閉めたときに自動で仮施錠されるようにして、閉戸時の戸のリバウンド（逆行）を防止する技術が知られている（特許文献１参照）。斯かる技術を用いれば、例えば両手がふさがっている者が肘で戸を閉じても仮施錠することができ、便利である。
【先行技術文献】
【特許文献】
【０００３】
【特許文献１】実公平５−７４０８号公報
【発明の概要】
【発明が解決しようとする課題】
【０００４】
しかし、上記技術は、便利さをもたらす反面、風等の外力の影響を受けて戸が閉まったり、操作者が意図せずに閉戸してしまったりした場合にも、自動で仮施錠されてしまう、といった融通性の低下をも招来する。そして、閉戸すると室内側が暗くなる物置等では、一度仮施錠されるとその解錠は実質的に室外側からしか行えなくなるものも少なくなく、最悪の場合、人が室内側に閉じ込められてしまう危険性がある。
【０００５】
本発明は上述の事柄に留意してなされたもので、その目的は、意図されていない仮施錠を防止し、室内側からの容易かつ確実な仮解錠操作を実現して、高い安全性を確保することができる錠を提供することにある。
【課題を解決するための手段】
【０００６】
上記目的を達成するために、本発明に係る錠は、室外側から施錠部材としてのラッチ片に仮施錠姿勢をとらせる仮施錠操作及び仮解錠姿勢をとらせる仮解錠操作を行うための室外側操作部と、前記仮解錠操作に伴って前記ラッチ片がとった仮解錠姿勢を維持し、前記仮施錠操作に伴って前記ラッチ片が仮施錠姿勢をとるようにするための規制機構と、室内側から前記仮解錠操作を行うための室内側操作部とを具備し、該室内側操作部による前記仮施錠操作は行えないようにしてある錠であって、前記室外側操作部による仮施錠操作及び仮解錠操作に伴って該室外操作部に連結されたラッチ操作用軸が回動し、このラッチ操作用軸の回動はラッチ軸の回動に変換され、該ラッチ軸の先端に形成されている前記ラッチ片の姿勢が仮施錠姿勢と仮解錠姿勢に変わるように構成され、前記規制機構は、前記ラッチ操作用軸を、前記仮施錠姿勢に対応する位置と前記仮解錠姿勢に対応する位置とに保持可能に構成され、前記室内側操作部による仮解錠操作に伴って該室内操作部に連結された室内側主軸が回動し、この室内側主軸の回動は室内側従軸を介して前記ラッチ軸の回動に変換され、前記ラッチ軸の先端に形成されている前記ラッチ片の姿勢が仮施錠姿勢から仮解錠姿勢に変わると共に前記室内側従軸は前記ラッチ軸に係合するように構成され、前記室内側従軸が前記ラッチ軸に係合する状態において前記室内側操作部を操作して前記室内側主軸を回動させても、前記室内側従軸を動かすことができないように構成されている（請求項１）。
【０００７】
上記錠において、前記室外側操作部は、戸の開閉操作に用いられる把手を兼用し、戸の開方向に加わる力によって仮解錠操作され、戸の閉方向に加わる力によって仮施錠操作されるようにしてもよい（請求項２）。
【０００８】
【０００９】
上記錠において、前記室内側操作部は、戸の開閉操作に用いられる把手を兼用し、戸の開方向に加わる力によって仮解錠操作されるようにしてあってもよい（請求項３）。
【００１０】
上記錠において、前記施錠部材として、前記ラッチ片に加えて鎌片が設けられ、前記室外側操作部として、前記ラッチ片を操作するためのラッチ片操作部と、前記鎌片を操作するための鎌片操作部とが設けられ、前記室内側操作部は、前記ラッチ片及び前記鎌片の両方についての前記仮解錠操作が可能に構成されていてもよい（請求項４）。
【００１１】
上記錠が、前記鎌片操作部を覆って該鎌片操作部の操作を不可能な状態とするための着脱自在なカバーと、前記ラッチ片操作部の操作力を前記ラッチ片に伝達するための伝達機構の作動を停止させる停止位置への移動と、この停止位置からの退避とが可能に構成されたラッチ止め具とを具備してもよい（請求項５）。
【００１２】
上記錠が、室外側に設けられた受光部と、該受光部において受光した光を室内に導入する光導入部とを有する錠カバーを具備し、前記光導入部を、前記室内側操作部自体または室内に導入した光が該室内側操作部に届く範囲に設け、かつ、前記光導入部の少なくとも一部を蓄光材によって構成してあってもよい（請求項６）。
【発明の効果】
【００１３】
本願発明では、意図されていない仮施錠を防止し、室内側からの容易かつ確実な仮解錠操作を実現して、高い安全性を確保することができる錠が得られる。
【００１４】
すなわち、本願の各請求項に係る発明の錠では、室外側からの仮解錠操作によってラッチ片に仮解錠姿勢をとらせると、その姿勢が維持されるので、風等の外力の影響を受けて戸が閉まったり、操作者が意図せずに閉戸してしまったりしても、ラッチ片が勝手に仮施錠されてしまうことはない。
【００１５】
請求項２，３に係る発明の錠では、ラッチ片の仮施解錠のために必要となるワンアクション（仮解錠操作、仮施錠操作）を、戸を開閉する際の自然な動作で行うことができ、無駄な動きを極力省くことができる。
【００１６】
請求項１に係る発明の錠では、室内側から子供などが誤って仮施錠操作をしてしまうことが確実に防止され、安全面の向上を図ることができる。
【００１７】
請求項４，５に係る発明の錠では、使用者の好みに応じてラッチ片、鎌片を選択して用いることができ、利便性の点でより好適なものとなる。
【００１８】
請求項６に係る発明の錠では、室内側操作部の操作性の向上に資する採光が可能となる。
【図面の簡単な説明】
【００１９】
【図１】（Ａ）〜（Ｆ）は、本発明の一実施の形態に係る錠が設けられた物置の構成を概略的に示す平面図、左側面図、正面図、右側面図、背面図、底面図である。
【図２】前記錠のラッチ錠モードの構成を概略的に示す室外側からの斜視図である。
【図３】前記錠のラッチ錠モードの構成を概略的に示す室内側からの斜視図である。
【図４】（Ａ）〜（Ｃ）は、前記錠のラッチ錠モードの要部の作動を概略的に示す説明図である。
【図５】前記錠の鎌錠モードの構成を概略的に示す室内側からの斜視図である。
【図６】前記錠をラッチ錠モードから鎌錠モードに切り替えるための手順を示す説明図である。
【図７】前記錠の鎌錠モードの構成を概略的に示す室外側からの斜視図である。
【図８】（Ａ）及び（Ｂ）は、前記錠の鎌錠モードの要部の作動を概略的に示す説明図である。
【図９】（Ａ）〜（Ｄ）は、前記錠の構成を概略的に示す断面図である。
【図１０】（Ａ）〜（Ｃ）は、前記錠の構成を概略的に示す組図である。
【図１１】（Ａ）〜（Ｄ）は、ラッチ片操作部の正面図、側面図、背面図及び平面図である。
【図１２】（Ａ）〜（Ｅ）は、室内側操作部の背面図、左側面図、正面図、右側面図及び平面図である。
【図１３】（Ａ）〜（Ｅ）は、表カバーの平面図、正面図、側面図、背面図、底面図、（Ｆ）は（Ｂ）のＡ−Ａ線断面図、（Ｇ）は（Ｂ）のＢ−Ｂ線断面図、（Ｈ）は（Ｄ）のＣ−Ｃ線断面図である。
【図１４】（Ａ）〜（Ｅ）は、裏カバーの平面図、正面図、側面図、背面図、底面図、（Ｆ）は（Ｂ）のＡ−Ａ線断面図、（Ｇ）は（Ｂ）のＢ−Ｂ線断面図である。
【図１５】（Ａ）〜（Ｄ）は、ケースの正面図、底面図、背面図、側面図、（Ｅ）は（Ｃ）のＡ−Ａ’線断面図、（Ｆ）は（Ａ）のＢ−Ｂ線断面図である。
【図１６】（Ａ）〜（Ｅ）は、スライドの平面図、左側面図、正面図、右側面図及び底面図である。
【図１７】（Ａ）〜（Ｆ）は、ラッチ軸の正面図、部分拡大背面図、斜視図、部分拡大図、部分拡大斜視図、部分拡大側面図、（Ｇ）は（Ａ）のＡ−Ａ線断面図である。
【図１８】（Ａ）〜（Ｄ）は、ラックの平面図、左側面図、正面図及び底面図である。
【図１９】（Ａ）及び（Ｂ）は、ラックガイドの正面図及び右側面図である。
【図２０】（Ａ）及び（Ｂ）は、鎌片の正面図及び右側面図である。
【図２１】（Ａ）〜（Ｅ）は、ラッチ操作用軸の平面図、側面図、正面図、底面図及び部分拡大説明図である。
【図２２】（Ａ）〜（Ｄ）は、室内側主軸の平面図、正面図、側面図及び底面図、（Ｅ）は（Ｃ）のＡ−Ａ線断面図である。
【図２３】（Ａ）〜（Ｄ）は、スライドカバーの背面図（倒立状態）、平面図、正面図及び側面図である。
【図２４】（Ａ）〜（Ｅ）は、ラッチ止め具の平面図、左側面図、正面図、右側面図及び底面図である。
【図２５】（Ａ）〜（Ｄ）は、シリンダーの平面図、左側面図、正面図、右側面図、（Ｅ）は（Ｄ）のＢ−Ｂ’線断面図、（Ｆ）は（Ｄ）のＣ−Ｃ’線断面図、（Ｇ）は（Ｃ）のＤ−Ｄ’線断面図、（Ｈ）は（Ａ）のＥ−Ｅ’線断面図である。
【図２６】（Ａ）〜（Ｅ）は、把手爪の左側面図、正面図、右側面図、背面図及び平面図である。
【図２７】鎌片操作部用シールの正面図である。
【図２８】（Ａ）〜（Ｃ）は、鎌片用爪の正面図、側面図及び平面図である。
【図２９】（Ａ）〜（Ｄ）は、室内側従軸の平面図、正面図、背面図及び底面図である。
【図３０】（Ａ）〜（Ｃ）は、規制用ばねの平面図、側面図及び正面図である。
【発明を実施するための形態】
【００２０】
本発明の実施の形態について図面を参照しながら以下に説明する。
【００２１】
本実施の形態に係る錠は、図１（Ａ）〜（Ｆ）に示す物置Ｓの戸Ｄ（図示例は３枚両引戸タイプ）の左右両側に各々設けられ、戸Ｄの開操作及び閉操作に伴って仮解錠及び仮施錠を自動的に行うことができるラッチ錠モード（自動仮ロックモードの一例）と、戸Ｄの開閉操作とは別に仮施解錠操作を行う必要がある鎌錠モード（手動仮ロックモードの一例）とに選択的に切り換えて使用することができ、両モードの併用をも可能とするものである。
【００２２】
斯かる錠の断面図及び組図を図９、図１０に示しており、これらの図において、１はラッチ片操作部（室外側操作部）、２は室内側操作部（図１２も参照）、３は表カバー、４は裏カバー、５はケース、６はスライド、７はラッチ軸、８はラック（図１８も参照）、９はラックガイド（図１９も参照）、１０は鎌片（施錠部材）、１１はラッチ操作用軸、１２は室内側主軸、１３はスライドカバー、１４はラッチ止め具、１５はシリンダー（図２５も参照）、１６は把手爪、１７は鎌片操作部用シール（図２７も参照）、１８は蓄光部、１９は規制用ばね（板ばね）、２０はラッチ片（施錠部材）である。
【００２３】
まず、主に図２〜図４を参照しながら、ラッチ片２０によって仮施解錠を行うラッチ錠モードについて説明する。
【００２４】
室外側からは、ラッチ片操作部１を操作することにより、ラッチ片２０の仮施解錠を行うことができる。ラッチ片操作部１は、戸Ｄの開閉操作に用いられる把手を兼用するレバーハンドルとして構成され、戸Ｄの開方向（図２の矢印ＯＰ方向）に加わる力によって仮解錠操作されると、正面を向いた初期状態（図２参照）からＯＰ方向に全体が幾らか傾いた傾斜状態（図示していない）に変わり、戸Ｄの閉方向（図２の矢印ＣＬ方向）に加わる力によって仮施錠操作されると、傾斜状態から初期状態に戻る。尚、図２において、Ｗは壁、Ｗａはラッチ片２０用のストライカー、Ｗｂは鎌片１０用のストライカーである。
【００２５】
ラッチ片操作部１が仮解錠操作されて初期状態から傾斜状態に変わる際、ラッチ片操作部１を連結してあるラッチ操作用軸１１が上下方向の軸回りに回動し、ラッチ操作用軸１１の先細り突起１１ａとラッチ軸７の傾斜ブロック７ａとの接触により、ラッチ操作用軸１１の上下方向の軸回りの回動はラッチ軸７の左右方向（ＯＰ，ＣＬ方向）の軸回りの回動に変換され（図４（Ａ）及び（Ｂ）参照）、ラッチ軸７の先端に形成されているラッチ片２０の姿勢は戸外に突出した仮施錠姿勢（図４（Ａ）参照）から戸内に埋入した仮解錠姿勢（図４（Ｂ）参照）に変わる。そして、このとき、先細り突起１１ａの先端部は傾斜ブロック７ａの係合溝７ｂに係合した状態となる。
【００２６】
また、ラッチ片操作部１が仮施錠操作されて傾斜状態から初期状態に戻ると、ラッチ軸７の傾斜ブロック７ａにラッチ操作用軸１１の先細り突起１１ａが接触しなくなり、ラッチ片２０が仮施錠姿勢をとるようにラッチ軸７を常時付勢するキックばね（図示していない）の作用により、ラッチ片２０の姿勢は仮解錠姿勢から仮施錠姿勢に戻る。
【００２７】
ここで、ラッチ軸７は図１７に示すように構成され、その両端部は、戸Ｄの裏側に取り付けられる裏側カバー４（図１４参照）に連結されるケース５（図１５参照）の差込み孔５ａと保持溝５ｂとによって軸回りに回動可能に保持される。尚、裏側カバー４とケース５とは、ケース５に設けられた二つの貫通孔５ｃ（図１５（Ａ）、（Ｃ）参照）を貫通し、裏側カバー４に設けられた二つの雌ねじ部４ａ（図１４（Ａ）〜（Ｃ）参照）に螺着するねじ部材（図示していない）によって連結される。
【００２８】
一方、ラッチ操作用軸１１は図２１に示すように構成され、その両端部は、戸Ｄの表側に取り付けられる表側カバー３（図１３参照）の差込み孔３ａと保持溝３ｂとによって軸回りに回動可能に保持される（図９（Ｂ）参照）。また、ラッチ操作用軸１１において表側カバー３の縦穴３ｃに臨む部分に、ラッチ片操作部１が連結される。このラッチ片操作部１は図１１に示すように構成され、裏側に向かって開放されている連結用の縦溝１ａと、把手爪２１（図２６参照）を収容するための収容室１ｂとを有し、縦溝１ａ内に収まったラッチ操作用軸１１に対して、収容室１ｂから縦溝１ａ内に突出する把手爪２１の一対の爪２１ａが当接し、これによって両者は連結される。
【００２９】
表側カバー３にはまた、図９（Ｂ）に示すように規制用ばね（規制機構の一例）１９（図３０参照）が取り付けられ、この規制用ばね１９によってラッチ操作用軸１１を二つの位置に保持可能となっており、該二つの位置は、ラッチ片２０の仮施錠姿勢（ラッチ片操作部１の初期状態）と仮解錠姿勢（ラッチ片操作部１の傾斜状態）とに対応している。すなわち、規制用ばね１９の作用により、仮解錠操作に伴ってラッチ片２０がとった仮解錠姿勢が維持され、仮施錠操作に伴ってラッチ片２０が仮施錠姿勢をとることになる。
【００３０】
室内側からは、室内側操作部２を操作することにより、仮施錠姿勢をとるラッチ片２０の仮解錠を行うことができる。室内側操作部２は、戸Ｄの開閉操作に用いられる把手を兼用するレバーハンドルとして構成され、戸Ｄの開方向（図３の矢印ＯＰ方向）に加わる力によって仮解錠操作されると、正面を向いた初期状態（図３参照）からＯＰ方向に全体が幾らか傾いた傾斜状態（図示していない）に変わり、この後、フリー（特定の状態になるような規制を受けない状態）になる。
【００３１】
室内側操作部２が仮解錠操作されて初期状態から傾斜状態に変わる際、室内側操作部２を連結してある室内側主軸１２（図２２参照）が上下方向の軸回りに回動し、室内側主軸１２の出力用凸部１２ａと室内側主軸１２の上方に配置された室内側従軸２２（図２９参照）の入力用凸部２２ａとの接触により、室内側従軸２２は室内側主軸１２と一体的に上下方向の軸回りに回動し、室内側従軸２２の先細り突起２２ｂとラッチ軸７の段差ブロック７ｃとの接触により、室内側従軸２２の上下方向の軸回りの回動はラッチ軸７の左右方向（ＯＰ，ＣＬ方向）の軸回りの回動に変換され（図４（Ａ）及び（Ｃ）参照）、ラッチ軸７の先端に形成されているラッチ片２０の姿勢は仮施錠姿勢（図４（Ａ）参照）から仮解錠姿勢（図４（Ｃ）参照）に変わる。そして、このとき、先細り突起２２ｂの先端部は段差ブロック７ｃに係合した状態となる。
【００３２】
この時点で、室内側従軸２２は先細り突起２２ｂと段差ブロック７ｃとの係合によって回動しなくなっているのに対して、室内側操作部２を操作して室内側主軸１２を回動させることは可能であるが、室内側主軸１２の回動範囲は制限されており、その制限範囲で室内側主軸１２を回動させても室内側従軸２２を動かすことができないように構成されている。従って、室内側操作部２による仮施錠操作は行えない。
【００３３】
ここで、室内側主軸１２は図２２に示すように構成され、その両端部は、裏側カバー４（図１４参照）の差込み孔４ｂと保持溝４ｃとによって軸回りに回動可能に保持され、室内側従軸２２は図２９に示すように構成され、その両端部は、裏側カバー４（図１４参照）の差込み孔４ｄと保持溝４ｅ，４ｆとによって軸回りに回動可能に保持される。
【００３４】
室内側従軸２２にはまた、図２９に示すように姿勢復帰用ばね２３（図４参照）の一端側を係止する係止部２２ｃが設けられ、この姿勢復帰用ばね２３の他端側は例えば裏側カバー４の雌ねじ部４ａに係止しており、これにより、室内側従軸２２には常時、室内側主軸１２を介して室内側操作部２を傾斜状態から初期状態へと戻そうとする付勢力が働くことになる。
【００３５】
次に、主に図５〜図８を参照しながら、鎌片１０によって仮施解錠を行う鎌錠モードについて説明する。
【００３６】
まず、ラッチ錠モードから鎌錠モードに切り換えるには、図６に示すように、スライドカバー１３を適宜の工具（ドライバー等）で取り外し、図７に示すように鎌片操作部（室外側操作部）２４を露出させると共に、ラッチ止め具１４を図３に示す退避位置から図５に示す停止位置にまで移動させ、ラッチ片操作部１の操作力をラッチ片２０に伝達するための伝達機構（ラッチ軸７）の作動を停止させる。これにより、ラッチ錠モードから鎌錠モードへの切換えが完了する。尚、鎌錠モードからラッチ錠モードへの切換えは、この逆の手順を踏めばよい。また、スライドカバー１３を取り外し、かつ、ラッチ止め具１４を退避位置に移動させておけば、ラッチ錠モードと鎌錠モードの両方の機能を使用することができる。
【００３７】
ここで、スライドカバー１３は、図２３に示すように構成され、鎌片操作部２４を覆って鎌片操作部２４の操作を不可能な状態とするための部材であり、二つの係止爪１３ａが表カバー３の表示窓３ｄの縁に形成された被係止溝３ｅに係止し、これにより、表カバー３に対して着脱自在となっている。
【００３８】
また、ラッチ止め具１４は、図２４に示すように構成され、ネック部１４ａが裏カバー４の上面の長溝４ｇ内を移動可能に構成され、ラッチ止め具１４を図５に示す位置（停止位置）に移動させた状態でねじ部材２５を裏カバー４に螺着すると、このねじ部材２５によってラッチ止め具１４は固定され、かつ、ラッチ止め具１４の下部の突起１４ｂがラッチ軸７の傾斜ブロック７ａを押してラッチ片２０が仮解錠姿勢をとる状態となる（図８（Ａ）及び（Ｂ）参照）。また、このとき、ラッチ操作用軸１１の先細り突起１１ａがラッチ止め具１４の突起１４ｂに当接し、ラッチ片操作部１は殆ど動かない状態となる（図８（Ａ）及び（Ｂ）参照）。
【００３９】
そして、ねじ部材２５を一旦緩め、ラッチ止め具１４を図３に示す位置（退避位置）に移動させた状態でねじ部材２５を締めると、このねじ部材２５によってラッチ止め具１４は固定されるが、ラッチ止め具１４の下部の突起１４ｂはラッチ軸７の傾斜ブロック７ａにもラッチ操作用軸１１の先細り突起１１ａにも接触しない状態となる。
【００４０】
室外側からは、鎌片操作部２４を操作することにより、鎌片１０の仮施解錠を行うことができる。鎌片操作部２４は、上下動するシフトレバーとして構成され、上位置にあるときは鎌片１０が戸先側に突出した仮施錠姿勢をとり（図７参照）、下位置にあるときは鎌片１０が戸Ｄ内に埋入した仮解錠姿勢をとる。
【００４１】
ここで、鎌片操作部２４は、裏カバー４内において上下動するスライド６の下部に一体形成されたものであり、スライド６は図１６に示すように構成されている。スライド６の上部には鎌片操作用の二つの爪６ａがあり、二つの爪６ａの間に、鎌片１０（図２０参照）の基部１０ａの裏面に装着される鎌片用爪２６（図２８参照）の一端部２６ａが入り込むように構成されている。そのため、スライド６が上位置に移動する際、二つの爪６ａのうちの下側の爪６ａが鎌片用爪２６の一端部２６ａを持ち上げ、これにより鎌片１０が基部１０ａを中心に回動し、仮施錠姿勢をとる状態となる（図８（Ａ）参照）。また、スライド６が下位置に移動する際、二つの爪６ａのうちの上側の爪６ａが鎌片用爪２６の一端部２６ａを押し下げ、かつ、スライド６の上部に設けられた突起６ｄ（図１６参照）が鎌片１０のフラット部１０ｂ（図２０参照）を押し下げ、これにより鎌片１０が基部１０ａを中心に逆回りに回動し、仮解錠姿勢をとる状態となる（図８（Ｂ）参照）。そして、鎌片１０は、仮施錠姿勢と仮解錠姿勢とで安定するようにキックばね（図示していない）によって付勢されている。
【００４２】
室内側からは、室内側操作部２を仮解錠操作することにより、仮施錠姿勢をとる鎌片１０の仮解錠を行うことができる。室内側操作部２に連動する室内側主軸１２は、カムブロック１２ｂとカム突起１２ｃとを有する（図２２参照）。そして、カムブロック１２ｂは上位置にあるスライド６のカム面６ｂに、カム突起１２ｃは上位置にあるスライド６のカム孔６ｃの縁に各々当接する。従って、室内側操作部２が仮解錠操作されると、室内側主軸１２の回動に伴ってスライド６は押し下げられて下位置に移動し、鎌片１０は仮解錠姿勢をとる状態となる（図８（Ｂ）参照）。
【００４３】
ところで、表カバー３と裏カバー４とで錠カバーが構成されるが、この錠カバーが、室外側に設けられた受光部と、受光部において受光した光を室内に導入する光導入部とを有し、光導入部を、室内側操作部２自体または室内に導入した光が室内側操作部２に届く範囲に設け、かつ、光導入部の少なくとも一部を蓄光材によって構成すれば、室内側操作部２の操作性の向上に資する採光が可能となる。そのために、本実施形態では、ラッチ片操作部１と表カバー３と裏カバー４とスライド６と把手爪２１とを透明または半透明の合成樹脂等、光透過性を有する素材によって構成してある。また、裏カバー４には、蓄光材からなる矢印形状の表示部２７（図１４参照）を設けてある。
【００４４】
なお、本発明は、上記の実施の形態に何ら限定されず、本発明の要旨を逸脱しない範囲において種々に変形して実施し得ることは勿論である。例えば、以下のような変形例を挙げることができる。
【００４５】
本発明の錠は、物置等の３枚両引戸タイプの引戸に限らず、種々の引戸に適用可能である。
【００４６】
また、本発明の錠は、引戸ではなく開き戸にも適用可能である。この場合、戸の開閉操作は、戸の左右方向（図２のＯＰ，ＣＬ方向）へのスライド操作ではなく前後方向の押し引き操作となる（操作の方向が約９０度変わるだけである）ので、例えば、ラッチ片操作部１、室内側操作部２を、戸の前後方向に加わる力によって回動する把手（レバーハンドル）によって構成すればよい。
【００４７】
シリンダー１５に対応するキー（図示していない）の操作によって、ラッチ片２０または鎌片１０を用いた本施解錠が行われるようにしてもよいし、デッドボルトを用いた本施解錠が行われるようにしてもよい。
【００４８】
なお、上記変形例どうしを適宜組み合わせてもよいことはいうまでもない。
【符号の説明】
【００４９】
１  ラッチ片操作部
２０  ラッチ片
【図１】
0005548670.tif 000002
【図２】
0005548670.tif 000003
【図３】
0005548670.tif 000004
【図４】
0005548670.tif 000005
【図５】
0005548670.tif 000006
【図６】
0005548670.tif 000007
【図７】
0005548670.tif 000008
【図８】
0005548670.tif 000009
【図９】
0005548670.tif 000010
【図１０】
0005548670.tif 000011
【図１１】
0005548670.tif 000012
【図１２】
0005548670.tif 000013
【図１３】
0005548670.tif 000014
【図１４】
0005548670.tif 000015
【図１５】
0005548670.tif 000016
【図１６】
0005548670.tif 000017
【図１７】
0005548670.tif 000018
【図１８】
0005548670.tif 000019
【図１９】
0005548670.tif 000020
【図２０】
0005548670.tif 000021
【図２１】
0005548670.tif 000022
【図２２】
0005548670.tif 000023
【図２３】
0005548670.tif 000024
【図２４】
0005548670.tif 000025
【図２５】
0005548670.tif 000026
【図２６】
0005548670.tif 000027
【図２７】
0005548670.tif 000028
【図２８】
0005548670.tif 000029
【図２９】
0005548670.tif 000030
【図３０】
0005548670.tif 000031